(57)【要約】【課題】着用方式を自由に選択できる２層式カップを有する衣類を提供する。【解決手段】ブラジャー本体を有し、該ブラジャー本体は、２つのカップ本体と、該カップ本体の外端を互いに連結するベルトと、該ベルトの上縁の所定の位置とカップ本体の上端とを連結するストラップと、バストを覆うと共に、前記カップ本体の内面に位置する内部カップとを有し、前記カップ本体の内端に夫々互いに掛合可能なホック金具が設けられると共に、前記内部カップの内端に夫々互いに掛合可能なホック金具が設けられることを特徴とする。【選択図】図１
0003127327.tif 000002
【実用新案登録請求の範囲】
【請求項１】
ブラジャー本体を有し、
該ブラジャー本体は、２つのカップ本体と、該カップ本体の外端を互いに連結するベルトと、該ベルトの上縁の所定の位置とカップ本体の上端とを連結するストラップと、バストを覆うと共に、前記カップ本体の内面に位置する内部カップとを有し、
前記カップ本体の内端に夫々互いに掛合可能なホック金具が設けられると共に、前記内部カップの内端に夫々互いに掛合可能なホック金具が設けられることを特徴とする、
２層式カップを有する衣類。
【請求項２】
服であって、
該服は、２つのカップ本体と、該カップ本体の外端を夫々該服の胸部の内側に連結する連結部材と、女性のバストを覆うと共に、前記カップ本体の内側面に位置する内部カップとを有し、
前記カップ本体の内端に夫々互いに掛合可能なホック金具が設けられると共に、前記内部カップの内端に夫々互いに掛合可能なホック金具が設けられ、
前記内部カップの内部に複数のサポートラインが設けられ、
該サポートラインは、内部カップの底縁から上方に向って湾曲しながら放射状に設けられることを特徴とする、
２層式カップを有する衣類。
【請求項３】
水着であって、
該水着は、２つのカップ本体と、該カップ本体の外端を互いに連結するベルトと、該ベルトの上縁の所定の位置と前記カップ本体の上端とを連結するストラップと、バストを覆うと共に、該カップ本体の内側面に位置する内部カップとを有し、
前記カップ本体の内端に夫々互いに掛合可能なホック金具が設けられると共に、前記内部カップの内端に夫々互いに掛合可能なホック金具が設けられ、
前記内部カップの内面にネット部材が設けられ、
該ネット部材の内端に開口が形成され、
該ネット部材と内部カップとの間に開口を通じてパッドが設置されることを特徴とする、
２層式カップを有する衣類。
【考案の詳細な説明】
【技術分野】
【０００１】
本考案は、特に２層式カップを有する衣類に関するものである。
【背景技術】
【０００２】
一般にカップを有する衣類は、例えば、バストを押し付け、女性のバストラインをより理想的に整えるものであり、通常は矯正用ブラジャーが使用されている。
【０００３】
又、水着や服などは、ブラジャーの代わりに、その裏側にカップが取り付けられることにより、バストをサポートしていた。
【考案の開示】
【考案が解決しようとする課題】
【０００４】
しかしながら、前記矯正用ブラジャーは、バストを長時間に亘って無理に押さえ付けるので、負担がかかると共に、不快感を伴うものであった。又、前記裏側にカップが取り付けられる水着や服などは、体型を整えることができないので、より理想な補整効果を得ることができなかった。
【０００５】
そこで、案出されたのが本考案であって、着用方式を自由に選択できる２層式カップを有する衣類を提供することを目的としている。
【課題を解決するための手段】
【０００６】
本願の第１考案は、ブラジャー本体を有し、該ブラジャー本体は、２つのカップ本体と、該カップ本体の外端を互いに連結するベルトと、該ベルトの上縁の所定の位置とカップ本体の上端とを連結するストラップと、バストを覆うと共に、前記カップ本体の内面に位置する内部カップとを有し、前記カップ本体の内端に夫々互いに掛合可能なホック金具が設けられると共に、前記内部カップの内端に夫々互いに掛合可能なホック金具が設けられることを特徴とする、２層式カップを有する衣類を提供する。
【０００７】
本願の第２考案は、服であって、該服は、２つのカップ本体と、該カップ本体の外端を夫々該服の胸部の内側に連結する連結部材と、女性のバストを覆うと共に、前記カップ本体の内側面に位置する内部カップとを有し、前記カップ本体の内端に夫々互いに掛合可能なホック金具が設けられると共に、前記内部カップの内端に夫々互いに掛合可能なホック金具が設けられ、前記内部カップの内部に複数のサポートラインが設けられ、該サポートラインは、内部カップの底縁から上方に向って湾曲しながら放射状に設けられることを特徴とする、２層式カップを有する衣類を提供する。
【０００８】
本願の第３考案は、水着であって、該水着は、２つのカップ本体と、該カップ本体の外端を互いに連結するベルトと、該ベルトの上縁の所定の位置と前記カップ本体の上端とを連結するストラップと、バストを覆うと共に、該カップ本体の内側面に位置する内部カップとを有し、前記カップ本体の内端に夫々互いに掛合可能なホック金具が設けられると共に、前記内部カップの内端に夫々互いに掛合可能なホック金具が設けられ、前記内部カップの内面にネット部材が設けられ、該ネット部材の内端に開口が形成され、該ネット部材と内部カップとの間にパッドが設置されることを特徴とする、２層式カップを有する衣類を提供する。
【考案の効果】
【０００９】
本考案は上記の課題を解決するものであり、カップ本体と内部カップの２層式カップを有する衣類の構成により、該内部カップを掛合することから、バストを適度に押さえ付けて、バストラインを美しく整えることができ、更に、内部カップを外し、カップ本体のみでバストをカバーすれば、心地よい着用感を提供することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る２層式カップを有する衣類の第１実施例において、ホック金具を外した状態を示す斜視図であり、図２は本考案に係る２層式カップを有する衣類の第１実施例の使用状態図であり、図３は本考案に係る２層式カップを有する衣類の第１実施例の使用状態図であり、図４は本考案に係る２層式カップを有する衣類の第１実施例の使用状態図であり、図５は本考案に係る２層式カップを有する衣類の第１実施例の一部透視図であり、図６は本考案に係る２層式カップを有する衣類の第２実施例において、ホック金具を外した状態を示す斜視図であり、図７は本考案に係る２層式カップを有する衣類の第２実施例の斜視図であり、図８は本考案に係る２層式カップを有する衣類の第２実施例の使用状態図であり、図９は本考案に係る２層式カップを有する衣類の第２実施例の使用状態図であり、図１０は本考案に係る２層式カップを有する衣類の第３実施例の斜視図である。
【００１２】
図１に示すように、本考案に係る２層式カップを有する衣類の第１実施例は、ブラジャー本体（１０）を有し、該ブラジャー本体（１０）は、２つのカップ本体（１１）と、該カップ本体（１１）の外端を互いに連結するベルト（１２）と、該ベルト（１２）の上縁の所定の位置とカップ本体（１１）の上端とを連結するストラップ（１４）と、バストを覆うと共に、前記カップ本体（１１）の内面に位置する内部カップ（２１）とを有し、前記カップ本体（１１）の内端に夫々互いに掛合可能なホック金具（１３）が設けられる。
【００１３】
前記内部カップ（２１）は、弾性を有しない材料からなり、その外端は、前記カップ本体（１１）とベルト（１２）との継ぎ目に取り付けられると共に、内端に夫々互いに掛合可能なホック金具（２２）が設けられ、更に、前記内部カップ（２１）の内面にネット部材（２１１）が設けられ、該ネット部材（２１１）の内端に開口（符号なし）が形成され、該ネット部材（２１１）と内部カップ（２１）との間に開口を通じてパッド（２３）が設置され、前記内部カップ（２１）の内部に複数のサポートライン（２１２）が設けられ、該サポートライン（２１２）は、内部カップ（２１）の底縁から上方に向って湾曲しながら放射状に設けられる。
【００１４】
図２及び図３に示すように、本考案の第１実施例である、２層式カップを有するブラジャーを実際に着用する時は、先ずストラップ（１４）を夫々両肩に掛け、両手で内部カップ（２１）を持って、バストを該内部カップ（２１）に収容してから、内部カップ（２１）のホック金具（２２）を互いに掛合することにより、該内部カップ（２１）を着用する。
【００１５】
その後、カップ本体（１１）で内部カップ（２１）を覆い、該カップ本体（１１）のホック金具（１３）を互いに掛合して、本考案の２層式カップを有するブラジャーを着用する。尚、実施例によれば、前記内部カップ（２１）は、弾性を有しない素材からなることから、バストを適度に押さえ付けることができるので、バストラインを整えることができる。
【００１６】
図４に示すように、本考案の２層式カップを有するブラジャーは、内部カップ（２１）によりバストが適度に押さえ付けられるので、人によっては長時間の着用により、気持ちが優れなくなる恐れがある。その場合は、内部カップ（２１）のホック金具（２２）を外して、カップ本体（１１）だけでバストをサポートし、バストラインの補整効果の代わりに、心地よい着用感を提供することができる。
【００１７】
また、図５に示すように、前記内部カップ（２１）の内部にはサポートライン（２１２）が設けられるので、バストラインを美しく整えることができ、更に、前記内部カップ（２１）とネット部材（２１１）との間においてのパッド（２３）の着脱により、バストラインをより効果的に整えることができる。
【００１８】
尚、本考案は、上述のようにフロントホックタイプではなく、バックにホック金具（１３）を設けたバックホックタイプであってもよい。
【００１９】
図６乃至図９に示すように、本考案の第２実施例であるドレスなどの２層式カップを有する衣類は、服（３０）を有し、該服（３０）は前記第１実施例と同様、２つのカップ本体（１１）と２つの内部カップ（２１）を有する。
【００２０】
前記カップ本体（１１）の外端は夫々連結部材（符号なし）により該服（３０）における胸部の内側に連結される。該連結部材と該服（３０）の内側との結合方式としては、該ベルトを該服（３０）の内側に連結し、もしくはホック部材などで該連結部材を該服（３０）の内側に掛合してもよい。また、該カップ本体（１１）の内端は互いに結合され、もしくはホック金具で互いに掛合されてもよい。
【００２１】
前記内部カップ（２１）の外端は、前記カップ本体（１１）と前記連結部材との継ぎ目に取り付けられると共に、内端に夫々互いに掛合可能なホック金具（２２）が設けられ、更に、前記内部カップ（２１）の内面にはネット部材（２１１）が設けられ、該ネット部材（２１１）の内端に開口（符号なし）が形成され、該ネット部材（２１１）と内部カップ（２１）との間にパッド（２３）が設置され、前記内部カップ（２１）の内部に複数のサポートライン（２１２）が設けられ、該サポートライン（２１２）は、内部カップ（２１）の底縁から上方に向って湾曲しながら放射状に設けられる。
【００２２】
図８に示すように、本実施例を着用する時は、前記内部カップ（２１）のホック金具（２２）を互いに掛合して、バストを適度に押え付けるので、より美しくドレスを着こなすことができる。又、図９に示すように、内部カップ（２１）のホック金具（２２）を外せば、バストへの圧迫感を取り除くことができる。
【００２３】
また、図１０に示すように、本考案の第３実施例である２層式カップを有する衣類の構成は、前記第１実施例と殆ど等しいが、ブラジャーではなく、水着（４０）である点において異なる。
【００２４】
本考案は上記の構成を有するので、カップ本体同士及び内部カップ同士を掛合するので、バストを適度に押さえ付けて、バストラインを美しく整えることができ、更に、内部カップを外し、カップ本体のみでバストをカバーすれば、心地よい着用感を提供することができる。
【図面の簡単な説明】
【００２５】
【図１】本考案に係る２層式カップを有する衣類の第１実施例において、ホック金具を外した状態を示す斜視図である。
【図２】本考案に係る２層式カップを有する衣類の第１実施例の使用状態図である。
【図３】本考案に係る２層式カップを有する衣類の第１実施例の使用状態図である。
【図４】本考案に係る２層式カップを有する衣類の第１実施例の使用状態図である。
【図５】本考案に係る２層式カップを有する衣類の第１実施例の一部透視図である。
【図６】本考案に係る２層式カップを有する衣類の第２実施例において、ホック金具を外した状態を示す斜視図である。
【図７】本考案に係る２層式カップを有する衣類の第２実施例の斜視図である。
【図８】本考案に係る２層式カップを有する衣類の第２実施例の使用状態図である。
【図９】本考案に係る２層式カップを有する衣類の第２実施例の使用状態図である。
【図１０】本考案に係る２層式カップを有する衣類の第３実施例の斜視図である。
【符号の説明】
【００２６】
１０    ブラジャー本体
１１    カップ本体
１２    ベルト
１３    ホック金具
１４    ストラップ
２１    内部カップ
２１１  ネット部材
２１２  サポートライン
２２    ホック金具
２３    パッド
３０    服
４０    水着
【図１】
0003127327.tif 000003
【図２】
0003127327.tif 000004
【図３】
0003127327.tif 000005
【図４】
0003127327.tif 000006
【図５】
0003127327.tif 000007
【図６】
0003127327.tif 000008
【図７】
0003127327.tif 000009
【図８】
0003127327.tif 000010
【図９】
0003127327.tif 000011
【図１０】
0003127327.tif 000012